Podtech/llm-jp-corpus-v4-ja_patent huggingface dataset:
(57)【要約】【課題】雷撃対策用の接地システムに使用して有効なる構成材を提供する。【解決手段】岩石粉砕にて得られる微粉末に、適量の微粉状酸化カルシウムを混合したことを特徴とする。【特許請求の範囲】
【請求項１】
岩石粉砕にて得られる微粉末に、適量の微粉状酸化カルシウムを混合したことを特徴とする雷撃対策用接地システム構成材。
【請求項２】
微粉状酸化カルシウムに加えて炭素微粉を混入させてなる請求項１記載の雷撃対策用接地システム構成材。
【発明の詳細な説明】
【技術分野】
【０００１】  この発明は、雷撃により土中で発現する大電流インパルス抵抗による電位上昇を所要値内に制御し、かつ自己避雷針接地からの帰還雷撃で大半の雷を中和するための接地電極埋設孔構成に用いる接地システム構成材に関する。
【背景技術】
【０００２】  従来、雷撃時に発現する大電流インパルス抵抗の低減を目標とした、いわば土中におけるイオン化に着眼した抵抗低減材、さらに火山灰層、砂層の孔隙に起因する高大地抵抗を操作することを明確に意識した、本発明に示すような配合の接地システム構成材はなかった。
【発明の開示】
【発明が解決しようとする課題】
【０００３】  携帯電話無線基地局や防災無線基地局のアンテナ塔等、高構造物を擁する商用電源需要家の高構造物への落雷は高大電流インパルス抵抗により過大な電位上昇、過大な商用配電線への逆流を招き、電力会社トランスの焼損はじめ周辺に多大な被害をもたらしてきたことはすでに明らかにされてきた。このように高構造物への落雷はこれまで大被害をもたらしてきたのであるが、これら被害を防止する雷保護の基本は雷を大地に「より小さな抵抗で導く」ことであり、落雷による電位の上昇を被害を発生させない限度に止めることである。とくに我が国のようなＴＴ接地配電システムでは、非等電位のため需要家の高構造物への落雷は、大電流インパルス抵抗が高ければ高いほど外部配電線へ高比率で逆流していくため、高構造物を擁する需要家の接地抵抗は直流接地抵抗よりも、雷撃時に発現する大電流インパルス抵抗を周辺よりも低いものとし、自己の避雷針接地で多くの雷サージを放流中和しなければならない。
【課題を解決するための手段】
【０００４】  課題を解決するための手段として本発明は、岩石粉末に酸化カルシウム等を混合してその主要部を構成した。すなわち、岩石粉砕にて得られる微粉末に、適量の微粉状酸化カルシウムを混合する。本発明は以上の構成よりなる雷撃対策用接地システム構成材である。
なお、炭素粉をさらに加えて用いてもよい。
【発明の効果】
【０００５】  本発明によれば、土に混入することにより、土中の導電率およびイオン化傾向を高めて落雷に起因する大電流インパルスを吸収して外部への被害を極少とすることのできる、有用なる物質を提供することができる。
これまでは、雷撃時に必要とする雷撃時抵抗（大電流インパルス抵抗）を自在に実現する方法とその方法を実現する構成材が存在しなかったため、必要雷撃時抵抗の概念すら課題にならなかったが、本接地システム構成材の発明により、これまで不可能と考えられていた立地条件により異なる必要大地抵抗率、必要抵抗低減率、必要電位上昇の限度を算定し、過大・過少のない経済的で高精度の接地システムの構築を可能としたものである。
【発明を実施するための最良の形態】
【０００６】  以下、本発明の実施形態について説明する。
本発明は、石英を含んだ岩石を砕いた微粉状物に微粉状の酸化カルシウムを混合して生成される。また、必要に応じて炭素微粉を添加する。
実施した例による含有成分は以下の通りである。（重量％）
二酸化珪素                ＳｉＯ２      １１．０％
酸化アルミニウム          Ａｌ２Ｏ３      ２．４％
酸化鉄                    Ｆｅ２Ｏ３      １．４％
酸化カルシウム            ＣａＯ        ７３．７％
炭素                      Ｃ            １０．０％
その他（酸化マグネシウム、硫黄その他）    １．５％
上記のうち、酸化カルシウムは本発明必須の有効成分で、導電率およびイオン化傾向が高く、土中では水和反応を起こして水分を保持する。炭素は導電率を高めるがイオン化傾向が小さい。酸化アルミニウムと酸化鉄は岩石中に含まれているが、ともに水和酸化物であって土中で水和反応を起こし、孔隙の多い火山灰層、粘着性の低い土壌から空気を追い出して保水性を与え、かつ土壌を高イオン化傾向にする役割を有している。
成分記載のうち、二酸化珪素とその他は特段の有効成分とはなり得ないが、完全除去が困難なため成分に含まれた結果となっている。
本発明の使用に際しては、土壌に適量を混合し埋設される電極棒の周囲に用いられるが、試験として導電率の低い火山灰に混合した結果を以下に示す。
１．混合前の抵抗率５９６オームの火山灰は混合後には１３２オームとなった。
２．混合前の抵抗率２９５０オームの火山灰は混合後には１３２オームとなった。
以上のように、本発明の有効性が確認された。【０００７】  淘汰度の低い礫を多量に含む土壌以外で大地抵抗率が何千オームにもなる原因は、第一に粒径の大きい火山灰のように粒子間の孔隙（隙間）が空気抵抗を増大させ、かつ保水性を悪化させるためで砂層も根本的には共通しているのである。このため本発明では、土壌中の孔隙を充填する物質として導電率が高く同時にイオン化傾向も最大な生石灰を選択し、さらに導電率を高める物質として炭素を採用しているが、炭素はイオン化傾向が低いため少量としたものである。
水分を１３％程度保持している標準的な土壌は多量の粘土鉱物を含む一方、ポルトランドセメントの粘土鉱物（Ａｌ２Ｏ３，Ｆｅ２Ｏ３）含有量は７．４％程度である。
このことから本発明では水和酸化物の含有量をポルトランドセメントの１／２（３．８％）とすることにより、十分火山灰層、砂層の粘性と保水性を保持できると考え、実用において実証したものである。また土壌の主組成とも云える珪素含有量１１％は理論上不要ではあるが物理的に混合せざるを得なかったのであり、このシステム構成材の固化を緩和する上での働きをもつものである。
以上、本発明について記したが、本発明においては含有成分とその構成比率が重要なファクターであり、酸化カルシウムは７０〜８０％の範囲、炭素は５〜１０％の範囲が望ましい。これらの構成比が少ないと導電率およびイオン化傾向が低下して好ましくない。
酸化アルミニウムと酸化鉄については、岩石中に含まれるため、微粉として利用することにより使用岩石の種類にておのずからその成分構成比が定まるが、双方合計で３．５〜６％程度が好ましい。二酸化珪素とその他成分は不要であるが、岩石中から完全除去が難しいため、含まれた結果となっている。なお、炭素粉を用いることにて導電率を高められるがイオン化傾向はさほど上昇しないため、これを省いて製造することも可能である。
また、岩石粉末の代わりに、酸化アルミニウムや酸化鉄の微粉を用いることも可能である。以上のごとく、本発明は雷撃対策として有効なものであり、ＴＴ接地設計法において行われる「前駆放電から雷撃に至る一連のエネルギー計算」と、そのエネルギーによりイオン化される物質の「所要分子容算定」を背景とし、高導電率、高イオン化傾向、高保水率を実現する性質を兼ね備える物質の組み合わせによって土壌の電気的欠陥を除去して活性化する高度な接地システム用の構成材である。
(57)【要約】      （修正有）【課題】主に車載用蓄電池において電解液の定期的補充を解消し、且つ冬期等においても電圧低下を防止し、エンジンの始動がスムーズに行える電池を提供すること。【解決手段】電解液の補助タンク１０を設け、電解液を補助タンクと蓄電池本体間を強制循環させ、電解液の補充を長期化すると同時に電解作用を促進する。更に複数個の発電水車１８と同数の発電機２８を具備し、電解液の還流により発電水車を回転せしめる事により発電を行い、蓄電池を充電する。【選択図】図２
2007157675.tif 000002
【特許請求の範囲】
【請求項１】
蓄電池本体の各電槽に電解液を強制循環する循環ポンプを具備した蓄電池において前記循環ポンプが電解液を各電槽に注送する排出口パイプ内部に電解液の流速により回転する水車を複数個配置し前記水車の回転軸全てに連結させた発電機を回転せしめ前記発電機により生じた電力で前記蓄電池を充電する事を特徴とする蓄電池。
【請求項２】
蓄電池を動作させるスイッチが切断された後にタイマーのスイッチにより循環ポンプを作動させ自己充電する機能を具備した事を特徴とする請求項第一項記載の蓄電池。
【発明の詳細な説明】
【技術分野】
【０００１】  本発明は主に車載用蓄電池に関する。
【背景技術】
【０００２】  従来の蓄電池は電解液を定期的に補充する事を必要とし、且つ特に冬期の低温時期に電解作用が低下し電圧が低下をまねき自動車等においてエンジン始動を不可としている。
【発明の開示】
【０００３】  前記従来の蓄電池は、各電槽の体積が小さく夏の高温時に電解液の蒸発による容量低下となり易い。冬期の低温時には電解液の科学反応が鈍化し、電流容量不足となり且つ別の発電機からの充電が必須である。
【０００４】  前記従来の蓄電池電槽容量を補助タンクを具備することにより、容量を増加させ且つ電解液を強制循環することにより、電解作用の向上を図ると同時に前記電解液を前記補助タンクから電槽に注送する排出口パイプ内に複数個の水車と水車回転軸に直結した発電機の起電力により前記蓄電池を充電する。
【発明の効果】
【０００５】  上記記述通り水車および発電機を具備する事により、主蓄電池が本来保持しなければならない電流電圧を補充し、常に一定電力を維持する事を可能とする。
【発明の実施】
【０００６】  以下、本発明の実施例を図面に基づいて詳述する。図１は実施例の正面斜視図を示す。図２および図３において３は電槽、１０は補助タンク、１６は循環ポンプを示す。循環ポンプ１６は電槽毎に具備しており、１個のＤＣモータ２０で駆動される。タイマー３１は始動スイッチが切断された後に一定時間作動後、一定時間停止を繰り返しＤＣモータ２０を駆動する。補助タンク１０は電槽３に対応して内部で電槽３の数だけ分割されている。各々の電槽３は補助タンク１０と循環パイプ１４で接続されている。
【０００７】  図３は電解液の流れを示す。循環ポンプ１６の吸引口は、各々補助タンク１０と吸引口パイプ１５で接続されている。循環ポンプ１６の排出口は、排出口パイプ１９で各々の電槽３と接続している。循環ポンプ１６が、ＤＣモータ２０の作動により回転すると、補助タンク１０の中の補助電解液１１は、吸引口パイプ１５から吸引され排出口パイプ１９を通じて電槽３の中に排出される。
【０００８】  図３において、循環ポンプ１６の回転により補助電解液１１は排出口パイプ１９から強制的に、電槽３に注送される。強制注送される前記電解液は、排出口パイプ１９の内部において生じる流速の力により排出口内部に具備している複数個の発電水車１８を回転せしめる。
【０００９】  複数個の発電水車１８の回転は、各電槽３の隔壁２１から外部へ突出している回転軸２７の突端には小型発電機２８が、各々の発電水車１８と連結されている。発電水車１８の回転は、回転軸２７を通じて小型発電機２８を回転せしめると同時に発電を開始する。発電された電力Ｖ２は、充電器３０を通じて蓄電池２２を充電する。
【００１０】  図３において排出口パイプ１９の内部に配置されている発電水車は、小型であり前記排出口パイプ１９の長さによっては少なくとも１０個近くの発電水車１８を具備する事が可能である。また、発電水車１８と連結される小型発電機２８も、前記発電水車１８と同数であり仮に電槽３１個に対し小型発電機１８が１０個を具備させると、前記電槽３を３槽具備した蓄電池２２は３０個の小型発電機２８において、充電される事になる。
【００１１】  小型発電機２８が複数個で発電する電力は、例えば蓄電池２２の本来の維持すべき電圧が２４Ｖの場合それより高い３０Ｖ〜３５Ｖの発電電圧とする。従って、前記発電電力により蓄電池２２は短時間に急速充電されることになる。
【００１２】  循環ポンプ１６を回転させるＤＣモータ２０の消費電力は、極めて低消費電力のＤＣモータを使用し蓄電池２２の電力消耗を少なくしている。
【図面の簡単な説明】
【００１４】
【図１】  蓄電池の正面斜視図
【図２】  蓄電池の正面断面図
【図３】  蓄電池の側面断面図
【図４】  動作回路系統図
【符号の説明】
【００１５】１．  電池ケース
２．  電池上蓋
３．  電槽
４．  電極（正極）
５．  電極（負極）
６．  負極ストラップ
７．  正極ストラップ
８．  正極出力端子
９．  負極出力端子
１０．補助タンク
１１．補助電解液
１２．液栓（ガス抜き穴付き）
１３．液面検出計
１４．循環パイプ
１５．吸引口パイプ
１６．循環ポンプ
１７．ポンプ台
１８．発電水車
１９．排出口パイプ
２０．ＤＣモータ
２１．隔壁
２２．蓄電池
２３．始動スイッチ
２４．ＤＣ／ＤＣコンバータ
２５．自動車（使用例）
２６．電圧計
２７．攪拌水車回転軸
２８．小型発電機
３０．充電器
３１．タイマー
【図１】
2007157675.tif 000003
【図２】
2007157675.tif 000004
【図３】
2007157675.tif 000005
【図４】
2007157675.tif 000006
(57)【要約】【課題】既存の丸形蛍光灯本体に、後付式の反射板を取り付け、反射効率を上げ光量アップを図り、球が二つ付くタイプでは一本少なくしても不自由がないようにして家庭での省エネを目指すとともに電気代の抑制を図る【解決手段】反射板に、３から４の引っかけを付け丸形蛍光灯本体に下から取り付け、もうひとつかぶせるタイプの反射板を取り付け、部屋全体の光量アップを図ることを目的とすることを特徴とする。【特許請求の範囲】
【請求項１】
丸形蛍光灯の危ぐに下から取り付け、光の反射効率を高めることを目的とする反射板。
【請求項２】
丸形蛍光灯の器具と傘の間に取り付くように、器具の方にかぶせ光の反射効率を高めることを目的とする反射板。
【請求項３】
取り付け時に、傘と球以外取り外すことなく、また工具などを使わなくても取り付けられる反射板。
【発明の詳細な説明】
【技術分野】
【０００１】本発明は、家庭用丸形蛍光灯の反射板および傘に関する
【背景技術】
【０００２】今ある蛍光灯は、球を１から２本ぐらい増やして光量のアップを図るか、一本しかつかないものはそれ以上の光量アップは望めないのが現状である。【０００３】取り付け時の手間を最小限に抑えるようにする。
【発明の開示】
【発明が解決しようとする課題】
【０００４】球を複数使うタイプの蛍光灯で球の数を減らすと光量の確保が難しい。【０００５】球の数が多くなるほど消費電力が多くなる。【０００６】使える蛍光灯を買い換えるのは無駄である。【０００７】取り付けにくいと敬遠されやすい。
【課題を解決するための手段】
【０００８】反射効率の高い反射板を、器具本体の球と傘との間に取り付けることににより光量をアップする。【０００９】一例として、球を複数使うものでは球の数を減らしても光量が確保できる。【００１０】反射板を器具本体に、下から引っかけるタイプと上からかぶせるタイプに分けることにより、取り付けやすくなる
【発明の効果】
【００１１】蛍光灯を買い換える必要がなくなる。【００１２】蛍光灯の球を減らすと消費電力が抑えられる。【００１３】取り付けやすいと普及しやすい。
【発明を実施するための最良の形態】
【００１４】器具本体に図１の下から引っかけて取り付ける反射板をつけ、次に上からかぶせて取り付ける反射板を装着させ、球を複数使用するタイプでは、小さい方の球をつけずに、上もしくは大きい方の球をつけて傘をかぶせる。【００１５】このとき使用する傘は、色が濃すぎないか、透明感のあるものを使用するとより効果的である。
【産業上の利用可能性】
【００１６】本発明は、鉄工業およびプレス加工業、省エネ産業などの分野で利用することができる。
【図面の簡単な説明】
【００１７】
【図１】蛍光灯本体器具に、下方から引っかけて取り付けるタイプの反射板をしたから見た図。
【図２】図１の断面図
【図３】蛍光灯本体器具に上方から、かぶせて取り付けるタイプの反射板をしたから見た図。
【図４】図３の断面図
【符号の説明】
【図１】
2007157716.tif 000002
【図２】
2007157716.tif 000003
【図３】
2007157716.tif 000004
【図４】
2007157716.tif 000005
(57)【要約】【課題】今、国民年金を納めていない人が、多数いると言われている中で、これらの人たちも積み立て口座の開設をしてもらえるかどうか？多くの販売店が、年金ポイント積み立て店に加盟してもらえるか？【解決手段】積み立て口座を一人でも多くの人に、開設してもらい、その反響及び必要性をマスコミを通じてアピールすることで実現したい【選択図】図１
2007157098.tif 000002
【特許請求の範囲】
【請求項１】
商品の購入支払いに対して販売側より、消費者にサービスポイントと称して（景品、ポイント、返礼金）などを消費者に還元している方法を利用して消費者個人の年金口座を新設し、そこにサービスポイントをお金に換金し一定の期間積み立てて、個人の年金として利用するシステム
【発明の詳細な説明】
【技術分野】
【０００１】本発明は消費者が特別な負担を負わずに、年金が貯まっていくシステムです
【背景技術】
【０００２】普通に生活をしていても、老後の生活に少しでも役立つお金が貯まることに社会的に大きな意義があります
【発明の開示】
【発明が解決しようとする課題】
【０００３】老後の生活不安の軽減的役割
【課題を解決するための手段】
【０００４】販売側が、お客を呼び集める方法として（景品、サービスポイント、返礼金）を消費者に出しているのを、本発明に協賛してもらうこと
本発明に協賛している販売店などを、消費者が特別に意識する
【発明の効果】
【０００５】老後の金銭的不安の軽減
【発明を実施するための最良の形態】
【０００５】家族全員が一家の高齢者のポイント獲得に協力する事により、生活の安定が保たれる
【実施例】
【０００６】お店で買い物をしたら、そのお店が、本発明の協賛店であった為、年金口座にポイントを貯めてもらった
【産業上の利用可能性】
【０００７】老後の生活の安定の為、多くの人が、実現することを望むとの確信があります
【図面の簡単な説明】
【０００８】
【図１】お金の移動のフローチャート
【図１】
2007157098.tif 000003
(57)【要約】【課題】  夜間、対向車と交差する際に、ヘッドライトの光が眩しくて、運転しずらい為車が確認が出来る安全ライトを設置する。【解決手段】車体の裏側に設置した、安全ライトで、路面を直接広角に照射し、対向車が安全ライトで車を確認できるようにすることで、眩しさから軽減され安全運手が出来る。【選択図】図１
2007245844.tif 000002
【特許請求の範囲】
【請求項１】
夜間、車の運転中、対向車のヘッドライトが眩しいため、運転がしずらいので、安全ライトを（図１、１）左右１個ずつ車体の裏側に設置して路面を広角に照らす。
対向車の運転手は安全ライトで車の位置を確認することで、対向車のヘッドライトの眩しさを軽減され安全に交差することが出来る。
また、夜間道路を横断中の人が対向車のライトに入り、死角になって確認しづらいので、安全ライトが遮断されることで確認が取れる。
【発明の詳細な説明】
【技術分野】
【０００１】
本発明は、夜間運転中に、対向車のヘッドライトが眩しくて運転しずらいので、より安全に対向車と交差できる方法に関するものである。
【背景技術】
【０００２】
片側１車線の暗い道路では、夜間走行中、対向車を確認するため、ヘッドライトを見て車の位置やスピードを確認するため、すれ違うまでライトの明かりで眩しくて危険である。
また、横断中の歩行者もライトの死角に入り確認しずらい。
【発明の開示】
【発明が解決しようとする課題】
【０００３】
そのために、次のような問題点があった。
夜間、対向車を確認するときには、ヘッドライトを見て確認するのでどうしても、ヘッドライトの明かりが目に入り眩しくて運転しずらい。最近は、ハロゲンライト等の非常に明るいヘッドライトが多くなってきている。
また、夜間道路を横断中の人が対向車のヘッドライトに入り、死角になっていた。
本発明は以上の問題を解決しょうとするものである。
【課題を解決するための手段】
【０００４】
安全ライトの設置場所は車体の裏側（図１、１）後輪よりに左右１個ずつ装備する。
ヘッドライトと離れた位置に設置することで、ヘッドライトの明かりが目に入らないようにする。
安全ライトの光は広角に路面を照らす。（図１、図２）
安全ライトの光はヘッドライトと違うカラー光で路面を照らす。
【発明の効果】
【０００５】
安全ライトの明かりを見て対向車を確認するので、今までのようにヘッドライトで眩しくて運転しずらいということにはならない。
狭い道路での交差においては、車体下から光が広角に出ているので、対向車と交差するときの車間の目標にすることにより接触事故の防止になる。
安全ライトは直接、路面を照らすので眩しくない。
方向指示器と連結させることにより、点滅の明かりが第三者（車、オートバイ、歩行者）に広い範囲から確認できる。
後続車の前方確認の補助になる。
安全ライトを装備することで、車が立体的に確認できる。  
遅延消光機能を付加することにより、車を降りるときの足元の安全確認になる。
車をバックするときの安全確認になる。
ジャッキアップの時の照明に利用できる。
路肩での作業で、車に巻き込まれる事故の防止になる。
第三者（オートバイ、自転車、歩行者）が車の近くを通過するときの目標になる。
高速道路において追い越しをするときに車の位置を確認しやすい。
安全ライトの光を車種別に色分けすることにより、車の車種が一目瞭然に解る。
夜間の交通量調査に便利。
【発明を実施するための最良の形態】
【０００６】
以下、本発明の実施の形態を説明する。
安全ライトの設置箇所は車の車種のよって異なるが、（図１）後輪よりに左右１個ずつ装備する。
安全ライトの色は透明だとヘッドライトと同じなのでカラー色の光にする。
安全ライトは広角に路面を照射する。
安全ライトは方向指示器、非常点滅スイッチ、遅延消光機能、防犯機能と連動させる。
安全ライトの光を車種によって色分けする。
【図面の簡単な説明】
【０００７】
【図１】本発明の斜視図
【図２】本発明の使用状態を示す斜視図
【符号の説明】
【０００８】
１  安全ライトの設置位置
２  ヘッドライト
３  安全ライトの照射範囲
４  前輪
５  後輪
６  路面
【図１】
2007245844.tif 000003
【図２】
2007245844.tif 000004
(57)【要約】【課題】本発明は、筆記具を長時間使用しても疲れずに快適に、特に汗ばんだ手で使用しても把持する手指の感触が良くスムーズに筆記できることを提供する。【解決手段】水分吸収性、伸縮性、弾力性のある布材又は不織布、あるいはスポンジ等からなる素材をチューブ状に成形したグリップカバーに軸筒を挿入して装着する。【選択図】図１
2007245693.tif 000002
【特許請求の範囲】
【請求項１】
水分吸収性、伸縮性、弾力性のある布材又は不織布、あるいはスポンジ等からなる素材をチューブ状に成形したグリップカバーに軸筒を挿入して、装着したことを特徴とするグリップカバー付き筆記具である。
【請求項２】
前記グリップカバーを互換のために軸筒より着脱が容易にできることを特徴とする、請求項１記載のグリップカバー付き筆記具である。
【発明の詳細な説明】
【技術分野】
【０００１】この発明は、鉛筆、ボールペン、シャープペンシル等の筆記具等の軸筒にグリップカバーを装着したグリップカバー付き筆記具に関する。
【背景技術】
【０００２】従来から、グリップカバーとしては筆記具の軸筒先端の把持部に滑り止めとして装着されていた。
【発明の開示】
【発明が解決しようとする課題】
【０００３】従来の筆記具は、軸筒が樹脂又は金属製であるため長時間使用すると手指が汗ばんで軸筒と手指に滑りが生じ把持する感触が悪くなり不快になることがあり、極端な場合は把持する中指の先端の側面に力がかかり過ぎて痛くなることもある。
【課題が解決するための手段】
【０００４】上記問題を解決するために、筆記具の軸筒に水分吸収性、伸縮性、弾力性のある布材又は不織布、あるいはスポンジ等からなる素材をチューブ状に成形したグリップカバーに軸筒を挿入して装着した筆記具を使用するとよい。
【発明の効果】
【０００５】本発明により、このグリップカバー付き筆記具を使用することでグリップカバーの弾力性により感触が良くて握りやすく、またグリップカバーと把持した手指とが適度の摩擦で指先に無駄な力を加えなくてもスムーズに筆記ができる。
【０００６】さらに、手指が汗ばんだときでもグリップカバー全体で汗を吸収でき、また筆記中に中休みして筆記具を握りしめたり手中で玩ぶような場合でもグリップカバーの適度の摩擦により筆記具の落下防止にもなり、長時間使用しても指先が痛んだり、また必要以上に疲労しない効果がある。
【０００７】また、グリップカバーがチューブ状で伸縮性があるため、汚れたり破損したりした場合は着脱が容易にでき、新しいグリップカバーと交換できる。
【発明を実施するための最良の形態】
【０００８】本発明に係るグリップカバー付き筆記具は、図１に示すように、水分吸収性、伸縮性、弾力性のある布材又は不織布、あるいはスポンジ等の素材を、図２のようにチューブ状に成形したグリップカバー２に軸筒１を挿入して装着するとよい。
【図面の簡単な説明】
【０００９】
【図１】本発明の実施例を示す側面図
【図２】チューブ状に成形したグリップカバーの斜視図
【符号の説明】
【００１０】１      軸筒
２      グリップカバー
【図１】
2007245693.tif 000003
【図２】
2007245693.tif 000004
(57)【要約】【課題】  検尿カップに採尿する時、手や衣服を汚す恐れがあり、不快、不潔になりやすい。【解決手段】  本発明は、従来の検尿カップの外面に密着する反転起立式取手を接合し、課題を解決するものである。【選択図】図２
2007245695.tif 000002
【特許請求の範囲】
【請求項１】
検尿カップ（１）の外面に円弧断面を有する舌状の板材（２）を密着し、舌状の根元周辺と検尿カップ間に接合面（３）を設けてなる取手付検尿カップ。
【請求項２】
前記舌状の板材（２）の接合面（３）を欠円又は三角形状に形成し、接合していない端部を検尿カップ（１）より引き離し、カップ開口方向に反転起立し、貝殻状の取手を形成してなる取手付検尿カップ。
【発明の詳細な説明】
【技術分野】
【０００１】  本発明は紙製又は樹脂製の検尿カップの改良に関する。
【背景技術】
【０００２】  従来検尿においては一般的に受検者自身が検尿カップを手で持ちながら採尿する方法がとられている。又、一部妊婦などが検尿する際、採取用の柄の付いた検尿カップが用いられているが一般的ではない。
【発明の開示】
【発明が解決しようとする課題】
【０００３】  従来の検尿時には検尿カップを直接手で持つため誤って尿が手や衣服にかかり不快及び不潔な状態を生する事があった。特に女性に於いては不自然な姿勢で採尿するためこの傾向が多いという問題点があった。【０００４】  本発明はかかる不具合を解消する取手付検尿カップを提供することを目的としている。
【課題を解決するための手段】
【０００５】  上記目的を達成するため、本発明においては従来の検尿カップの外面に沿った円弧の断面を有する舌状の板材を密着させる。【０００６】  上記舌状の板材の根元は欠円又は三角形状に形成される接合面を有し、検尿カップ開口近くに接合する。【０００７】  また、舌状部先端は隅部に丸みを付け指先で起し易いように形成する。【０００８】  従って、保管時の状態は検尿カップの外周面に舌状の板材が密着しているので外形はほとんど変わらないから、従来の検尿カップと同等に重ねて保管することができる。【０００９】  検尿前には片手で検尿カップを持ちながらもう一方の手で舌状部先端隅を指先で起し、開口方向に反転させながら起立させる。【００１０】  このようにすると検尿カップの中心軸に対して舌状の板材は、ほぼ直角方向に起立し、取手を形成する。この板材は変形後も円弧状に形成され、貝殻状の構造となるので取手として採尿時の荷重に耐えることができる。【００１１】  本発明は、以上の構成とすることによって、採尿時は上記取手を指先でつまみながら行う事が可能となる。【００１２】  集団検尿等に於いては検尿カップ番号の書かれた碁盤状のマス目にならべる場合があるが、この場合は起立した取手を元通り検尿カップに密着する状態に戻せばよい。
【発明の効果】
【００１３】  本発明は、以上説明したように構成されるが、以下に記載されるような効果がある。【００１４】  従来検尿は、いわゆる検尿カップを直接手で持って行うため誤って尿が手や衣服にかかり不快及び不潔な状態を生じることがあった。検尿カップに反転起立式取手を密着させることによりかかる問題点が軽減されると共に不自然な姿勢からも解放される効果がある。【００１５】  また、取手は検尿カップに密着しているため保管時、検査時、使用後も従来の検尿カップと同様にスペースを取ることはない。
【発明を実施するための最良の形態】
【００１６】
【００１７】  発明の実施の形態を実施例にもとづき図面を参照して説明する。
【実施例】
【００１８】  図１は保管時の形態で検尿カップ１に舌状の板材２が密着し、接合面３で１と２が接合されている。【００１９】  図２は使用時の形態で舌状板材２の先端隅をつまんで検尿カップ１より引き離し円弧部が反転起立し、取手が形成される。
図３は図２を側面より見たところである。【００２０】  図１の４のように取扱い説明文を記入すれば受検者に分かりやすい。【００２１】  図４は受検者が採尿している形態で、取手を持ちながら、採尿できるので手や衣服を汚すことはない。又採尿姿勢も楽になる。
【図面の簡単な説明】
【００２２】
【図１】本発明の斜視図、保管形態
【図２】本発明の斜視図、使用形態
【図３】図２の側面図
【図４】本発明の採尿形態
【符号の説明】
【００２３】    １  検尿カップ
２  舌状の板材
３  接合面
４  取扱い説明文
【図１】
2007245695.tif 000003
【図２】
2007245695.tif 000004
【図３】
2007245695.tif 000005
【図４】
2007245695.tif 000006
(57)【要約】      （修正有）【課題】単独、あるいはグループ客が来店しても、その店舗を退去するまで、客同士、あらたな知人を得ないことが多かった。これは店舗側が気軽に客同士声を掛け合う機会を提供しなかったためである。【解決手段】店舗側が同時在店客間利益推薦用紙を設置したので、これを介在として気軽に客同士声を掛け合う機会が増加したため、来店客はあらたな知人を得ることが多くなり、さらに、飲食業界であれば店舗側は空席率が低下して売り上げが増加する。【選択図】図１
2007245696.tif 000002
【特許請求の範囲】
【請求項１】
店舗の同時在店客間において、当該店舗からの利益提供を望む客が、他の客に該利益提供推薦を依頼することによりその店舗が設定している利益提供が該依頼客に提供されるために、前記推薦者の推薦の意思表示とその利益提供の目的物とそのシステムとを要件として表記した用紙。
【発明の詳細な説明】
【技術分野】
【０００１】    本発明は同時在店客間の親和の増進に関する。
【背景技術】
【０００２】    従来の店舗は、単独、あるいはグループ客が来店しても、その店舗を退去するまで、客同士、あらたな知人を得ないことが多かった。【０００３】    まれに、来店客の一方が、親和感を覚えた他の来店客に、店舗経営者側に依頼してプレゼントの品等を設定し、店舗経営者側がその旨を、該他の来店客に伝える場合もあった。【０００４】    その欠点を補うため、店舗によっては、会員制度設定や、店舗経営者側がその場に応じた機転を利かせて来店客同士を紹介する場合があった。【０００５】    飲食業界にしても、従来の飲食店舗は、単独、あるいはグループ客が来店し、飲食しても、その店舗を退去するまで、客同士、あらたな知人を得ないことが多く、前記同様の状況が見られた。
【発明の開示】
【発明が解決しようとする課題】
【０００６】    以上、述べた従来の場合では、来店客が自ら、店内で他の来店客に気軽に声をかける状態ではありえず、客同士、あらたな知人となり得ないことが多かった。
本発明は従来の実態が有していた問題を解決しようとするものであり、来店客同士が気軽に声をかける等の機会を提供し、店内来店客同士の親和を図ることを目的とするものである。
【課題を解決するための手段】
【０００７】  本発明は、その実現のため、同時在店客間利益推薦システムを提起する用紙であり、これは同時在店客間において、当該店舗からの利益提供を望む客が、他の客に該利益提供推薦を依頼することにより、その店舗が設定している利益提供が該依頼客に提供されるシステムを表記した用紙としており、同時在店の来店客間で、気軽に声をかけるきっかけとして店舗経営者側が来店客に提供する有益な目的物をあらかじめ明示設定し、来店客がその目的物を獲得するには、同時在店の他の来店客の推薦を必要とする、と表示したものである。すなわち前記推薦者の推薦の意思表示とその利益提供の目的物とそのシステムとを要件として表記した用紙である。用紙は大型展示型でも良いし、小型個別携帯型でも良い。【０００８】  本発明の用紙の内、飲食業界に対応した用紙を取り上げて例示すると、本発明たる当該用紙には、店舗経営者側の料理、飲料品の一部または全部無料、または割引提供、あるいは料金総額からの値引き、あるいは物品の有償または無償提供等、提供目的物の具体的な内容、さらに、この内容を読んだ来店客がその目的物を獲得するには、同時在店の他の来店客が前記推薦のため、言葉による推薦、あるいは当該用紙に署名、あるいは略号、あるいは略称を記入することが必要、と表記した用紙であり、これを来店客に披瀝する場所に設置するものである。これが他の業界であれば、前記の提供目的物を各業界に適応した物品等に置き換えればよい。【０００９】  前記課題解決手段による作用は次のとおりである。
人を含む動物は互いに意思表示を交わすことにより、相手の敵意、友好を知り、敵意には敵意、友好には友好を感じる、というのが心の自然現象である。意思表示を交わさない間は、不安である。きっかけがあり、友好を示す機会が与えられれば互いに心の安らぎを得るものであるから、本発明により、前記来店客たちが目的物を獲得するため、同時在店の他の来店客に推薦を依頼するシステムにより、友好には友好を感じる、という自然現象が惹起されるものである。【００１０】  上記課題解決手段による作用は次の通りである。
前記により、来店客が目的物を獲得するには、同時在店の他の来店客の推薦を必要として、他の来店客のいずれかに声をかける等して、推薦を依頼せざるを得ず、声をかけられた側の来店客もまた、同様、目的物を獲得しようとすれば、先に声をかけて推薦を依頼してきた来店客には比較的安易に推薦を依頼することができるものである。【００１１】前記、声をかける、は手話、ジェスチヤー等の意思表示も含むのである。
【発明の効果】
【００１２】  本発明の用紙により、従来、長年、同一店を来訪しても他の来店客との親和が築けない来店客が、多くの知己をその店で得る機会ができる。【００１３】飲食業界であれば、店舗経営者側にしても、客の来店時にあらかじめ、当システムを説明すれば、本発明の用紙により店内客同士の親和が増大することにより、相席の承諾が得られやすくなるので、従来の４人席に２人の客という、営業的に不採算な空席率が低下し、提供目的物の費用を償還できる売り上げが可能となるのである。店舗側が同時在店客間利益推薦用紙を設置したので、これを介在として気軽に客同士声を掛け合う機会が増加したため、来店客はあらたな知人を得ることが多くなり、店舗側は空席率が低下して売り上げが増加する。
【発明を実施するための最良の形態】
【００１４】    本発明の実施の一例の形態を図１に基づいて説明し、およびその図１の使用例を図２に例示する。【００１５】    本発明用紙１の紙面の最上段の左部欄に店名欄２を設け、最上段の右部欄に用紙１の主題を記載した主題欄３を設け、以下二段目に本発明用紙１の主旨を説明する主旨欄４を設け、三段目に推薦依頼者名を記入する推薦依頼者名欄５を設け、四段目に複数の提供目的物の具体的な内容説明を記載した提供目的物欄６、五段目に提供される複数の目的物のうち、希望する目的物を選択するよう指示説明する目的物選択説明欄７、六段目に店舗経営者側担当者を記載した店舗側担当者欄８、七段目に推薦者名を記入する推薦者名欄９、を各設けたものである。
【図面の簡単な説明】
【００１６】
【図１】本発明の実施形態を示す用紙の記載概略図
【符号の説明】
【００１７】    １    本発明の用紙
２    店名欄
３    主題欄
４    主旨欄
５    推薦依頼者名欄
６    提供目的物欄
７    目的物選択説明欄
８    店舗側担当者欄
９    推薦者名欄
【図１】
2007245696.tif 000003
【図２】
2007245696.tif 000004
【手続補正書】
【提出日】平成18年5月22日(2006.5.22)
【手続補正１】
【補正対象書類名】明細書
【補正対象項目名】００１６
【補正方法】変更
【補正の内容】
【００１６】
【図１】本発明の実施形態を示す用紙の記載概略図
【図２】図１の使用例を示した概略図
(57)【要約】      （修正有）【課題】  筆記具と噴霧器は別々だった、それを１つにしてペンの携帯性を合わせ持つ噴霧器付き筆記具を提供する。【解決手段】  噴霧器を小型の霧吹きとし、これを筆記具の上部に取り付け溶液の補充もできる事を特徴とする。噴霧に際しては筆記具上部の噴霧操作部（２）を上下に操作することで行う。噴霧液は芳香液、抗菌液、防臭液、除電液を各目的機能に応じて選択可能となった。筆記具はボールペン、サインペンである。噴霧部（２）、ペン先に（５）にはキャップを有する。【選択図】図１
2007245694.tif 000002
【特許請求の範囲】
【請求項１】
噴霧器を附加した筆記具
【請求項２】
筆記具軸（１）の上部に噴霧操作部（２）と噴霧液槽（４）からなる小型噴霧器が筆記具軸（１）内に付帯される請求項１記載の筆記具
【請求項３】
噴霧操作部（２）と噴霧液体槽（４）が螺子で結合され噴霧溶液の補充が出来る請求項２記載の筆記具
【請求項４】
噴霧液体槽（４）の液体は芳香液、抗菌液、防臭液、除電液からなる請求項２記載の筆記具
【請求項５】
筆記具がボールペン、サインペンである請求項２記載の筆記具
【請求項６】
噴霧操作部（２）とペン先（５）にキャップを有する請求項２記載の筆記具
【発明の詳細な説明】
【技術分野】
【０００１】  この発明は、筆記具に小型の噴霧器を取り付けた筆記具に関するものである
【背景技術】
【０００２】  従来、筆記具に噴霧器が附加された物が無く、筆記具の特有な携帯性を合わせ持つ噴霧器はなかった
【発明の開示】
【発明が解決しようとする課題】
【０００３】そのため、次のような問題があった
（イ）  ガス充填噴霧器の形状が大きい為、筆記具に附加出来なかった
（ロ）  ガス充填噴霧器は液の補充が出来なく、使用後廃棄物がでた
（ハ）  筆記中に気分転換ができる、芳香噴霧がすぐにできなかった
（ニ）  筆記作業に使われる周辺機器関連の保守に要する物がすぐ近くに無かった
本発明は、以上の問題点を解決するためのものである
【課題を解決するための手段】
【０００４】  霧吹き式の噴霧器でガスを使用せず安全、小型化が可能で液の交換、補充も可能となる噴霧器である
【発明の効果】
【０００５】・  従来は単機能だった物が複合機能となり尚且つペンの持つ携帯性で何時でも、何処でも、誰でも目的別に噴霧ができる
・  芳香が必要な時に芳香液を噴霧する事で、気分転換が期待でき事務や学習、創作活動の能率を高揚するに有用である
・  溶液を変える事で、芳香、抗菌、、防臭、除電の各目的機能が選択可能となった
【発明を実施するための最良の形態】
【０００６】以下、本発明の実施の形態について説明する
（イ）  筆記具軸（１）の上部に螺子を設け、これに噴霧操作部（２）を取り付け上下動作で噴霧する
（ロ）  転がり防止とポケット保持のクリップ（６）を有する
（ハ）  噴霧操作部（２）とペン先（５）にキャップを有する
（ニ）  噴霧液は特に精油の香りを網羅し尚且つ防臭液、抗菌液除電液を任意に使用する
【図面の簡単な説明】
【０００７】
【図１】本発明の断面図
【符号の説明】
【０００８】１  筆記具軸
２  噴霧操作部
３  噴霧口
４  噴霧液体槽
５  ペン先
６  クリップ
７  インク
【図１】
2007245694.tif 000003
(57)【要約】【課題】プログラミングして、手作業を連続で再生すること。【解決手段】人間の手のような動作が可能な、手と同じ仕組みと形をしている機械の、丁度骨格となる部分の内側をくりぬいて、肩辺りまで入る長い手袋のような機能を持たせ、そこに人間の手と腕をすっぽりと入れ、手を自由に動かせるようにして、自由なポーズを作り出せるようにする。任意のポーズで静止させ、その度に、例えば足で踏むようなスイッチを踏むたびに、腕や手のポーズを記憶できるようにする。腕や手を任意のポーズで静止させてスイッチを踏むと、腕や手のポーズが記憶されるようにする。腕の動き方も記憶できるようにする。それらのポーズを、コンピュータープログラムと同じ様に、条件分岐や繰り返し文やルーチンにジャンプなどを組み合わせることが出来る様にする。すると、様々な手の動作（例えば、掴む、離す、押す、引っ張る、持ち上げる、等）を連続で再生することが可能になる。また遠隔操作も出来るようにする。【特許請求の範囲】
【請求項１】
ポーズや動作を記憶できる部分
【請求項２】
プログラミングして、再生動作可能であること。
【発明の詳細な説明】
【発明の詳細な説明】
【技術分野】
【０００１】  本発明の属する技術分野は自動化装置である。
【発明が解決しようとする課題】
【０００２】  プログラミングして、手作業を連続で再生して、例えば米伽やスイッチ動作や物作りの様なルーチン作業を可能にすること。
【課題を解決するための手段】
【０００３】  この装置は、人間の手や腕と同じように、手のひらの部分や腕の部分や骨格にあたる部分や関節にあたる部分などがあって、人間の手と同じような動きが可能な、手と同じ仕組みと形をしている。その丁度骨格となる部分の内側をくりぬいて、肩辺りまで入る長い手袋のような機能を持たせ、その手袋のような部分に人間の手と腕をすっぽりと入れ、手や腕を自由に動かせるようにする。そして、手や腕の関節の折れ具合を、人間の手と同じように自由なポーズにすることが出来るようにする。そして、腕や手を任意のポーズで静止させ、その度に、例えば足で踏むようなスイッチを踏むたびに、腕や手のポーズを記憶できるようにする。腕や手を任意の形状で静止させてスイッチを踏む作業を数回繰り返すと、数回分腕や手のポーズが記憶されるようにする。腕の動き方も記憶できるようにすればなお良い。それらの腕や手のポーズを、例えばＢＡＳＩＣというコンピュータープログラムと同じ様にＩＦ〜ＴＨＥＮ文で条件分岐やＦＯＲ〜ＮＥＸＴ文で繰り返し作業やＧＯＴＯ文やＧＯＳＵＢで、任意のプログラムの行やルーチンにジャンプなどが出来る様にする。それらを組み合わせれば、様々な手の動作（例えば、掴む、離す、押す、引っ張る、持ち上げる、等）を連続で再生することが可能になる。また遠隔操作も出来るようにする。
【手続補正書】
【提出日】平成19年2月9日(2007.2.9)
【手続補正１】
【補正対象書類名】明細書
【補正対象項目名】０００２
【補正方法】変更
【補正の内容】
【０００２】  プログラミングして、手作業を連続で再生して、家事やスイッチ動作や物作りの様なルーチン作業を可能にすること。
【手続補正２】
【補正対象書類名】明細書
【補正対象項目名】０００３
【補正方法】変更
【補正の内容】
【０００３】  この装置には、人間の手や腕と同じように、手のひらの部分や腕の部分や骨格にあたる部分や関節にあたる部分などがあって、人間の手と同じような動きが可能な、手と同じ仕組みと形状をしている。その丁度骨格となる部分の内側をくりぬいて、肩辺りまで入る長い手袋のような機能を持たせ、その手袋のような部分に人間の手と腕をすっぽりと入れ、手や腕を自由に動かせるようにする。そして、手や腕の関節の折れ具合を、人間の手と同じように自由なポーズにすることが出来るようにする。そして、腕や手を任意のポーズで静止させ、その度に、腕や手のポーズを記憶できるようにする。さらに腕の動き方や手や腕が物に加えている圧力も記憶できるようにする。それらの腕や手のポーズや動きを、コンピュータープログラムと同じ様に条件分岐や繰り返し作業で、任意の様々な組み合わせに出来る様にする。それらを組み合わせれば、様々な手の動作（例えば、掴む、離す、押す、引っ張る、持ち上げる、等）を様々な組み合わせによって繰り返し連続で再生することが可能になる。またその機能を用いて遠隔操作も出来るようにする。
(57)【要約】      （修正有）【課題】生活力向上の為、機械を働かせるのに電気を作らなければ成らないが発電によるエネルギーを押さえ尚且つ生活力を維持又は向上させるにはどのような方法がより良いか。【解決手段】（１）通電線の極性（＋），（−）を別々に取り出し磁界を隔離することで消費しないで電気を取り出すことが可能なシステムの考案。（２）回転力で仕事をさせることでのプラスαのエネルギー取り出しは風力発電においてもこのモーターをグループ回路でつながっていると無風時一台の通電でもより以上のエネルギーを獲られる。又エアコン等に組込むことでエネルギーを使ってもかえすことが可能でエネルギー需要の改善を図れる機器の考案。【選択図】図２
2007049883.tif 000002
【特許請求の範囲】
【請求項１】
現在の電気製品は電力会社で作られた電気を流すことにより使用しており、これは使う機器が増えれば電気をより多く作らなければ成らない。
これは川の発想で使う水がある程度多ければ流れの中で蒸発し空気中に湿度として入り込みます．
電気も流れる途中で磁界を形成しています．
電気が流れる電線には、それぞれ（＋），（−）の極性があり通常は絶縁をして平衡に流しています。この場合、磁界は相互干渉を受けたものなり極性が消えてしまいます．
この発明は、通電される電線（＋），（−）に別々に電線を沿わせ磁界の極性を沿わせた電線で拾い上げそれぞれの極性を損なわせずに電気を取り出す．つまり有る物を損なわせないで利用することで電気を得ることを特徴とする方法。
【請求項２】
電気を作るには、電気を使って仕事をすることの反対を行えば電気は得ることが可能です．たとえば風力発電は風車を風の力で動かしこの回転運動をもモーター軸に伝えることにより軸に巻かれているコイルとコイルの周りに配する磁石の断続的運動により磁界を形成しコイルに誘導電力を発生させているものが現在の品物である。
この製品は、『請求項１』の特性に類し電気を使いモーターに仕事をさせ尚且つ電気を発生させ異なる機器を動かすことができることを特徴とする新しいタイプのモーター。
【発明の詳細な説明】
【技術分野】エネルギーを消耗せず利用するためのシステム【０００１】この発明は起こった電気による磁界からの新たな電気の取り出し方法に関する．
【背景技術】
【０００２】従来の電気は物を動かし消費していたが、本システムは送電ロスは有るが消費分の電気を磁界から取り出すことによりエネルギーの創造を図ったものである．
【発明の開示】
【発明が解決しようとする課題】
【０００３】しかしながら、今までの電気の使い方は消費する一方であった。
そこで、この発明は流れる電気を減らさないシステムを提供することを課題とする。
【課題を解決する為の手段】
【０００４】以上の課題を解決する為に、第一発明は、誘導電流（電力）を得ることを特徴とするシステムである。
また、第二発明は、通電線に電線を沿わせることにより通電でモーター軸に仕事をさせ尚且つ新たに電気を取り出すことを特徴とするモーターである。
【発明の効果】
【０００５】第一発明、または第二発明によれば電気が通っていればこれを消費しないで負荷を動かすことができる。
【発明を実施するための最良の形態】
【０００６】この第一発明の実施形態を、図１，図２、図３に示す．
通電用電線と誘導電気用を極性（＋，−）を別々にそれぞれ沿わせる−距離が長くなるようであれば螺旋状にすることも有効な手段である．
また、第二発明の形態は、図４に示す．
電動機内部は通電されると電磁石となりケーシングに取り付けられた磁石とのＮ−Ｎ，Ｓ−Ｓの反発により回転力を得るが複数本で媒体を巻き複数の極を有することにより電動機を回転させる入力用電気と取出し用には逆流防止のダイナモ（整流器）を介することで電力を得る．
【図面の簡単な説明】
【０００７】
2007049883.tif 000003
【図４】この第二発明の実施形態を示す斜視図である。
【図１】
2007049883.tif 000004
【図２】
2007049883.tif 000005
【図３】
2007049883.tif 000006
【図４】
2007049883.tif 000007
(57)【要約】【課題】  食中毒リスクを軽減させる醤油及び調味料、それらを用いた食品を製造することを目的とする。【解決手段】  植物由来成分の月桃エキスを用いて醤油及び調味料に殺菌効果を得る。【選択図】  図１
2007049978.tif 000002
【特許請求の範囲】
【請求項１】
ショウガ科の植物である月桃を搾汁し、搾汁液を蒸留してできた蒸留エキスに醤油を加え攪拌させて得られたことを特徴とする醤油。
【請求項２】
ショウガ科の植物である月桃を搾汁し、搾汁液を蒸留してできた蒸留エキスに調味料を加え攪拌させて得られたことを特徴とする調味料。
【請求項３】
前記の請求項１又は請求項２に記載の醤油及び調味料を添加して得られることを特徴とする食品。
【発明の詳細な説明】
【技術分野】
【０００１】  一般に大豆・小麦・塩・麹を原料とする醤油及び市販のたれ・ドレッシングなどの調味料に関し、特に月桃エキスを用いたことを特徴とすることに関する。また、これらを用いてできた食品。
【背景技術】
【０００２】  従来技術には、ハッカ抽出物を含有させた液状調味料がある。（例えば特許文献１参照。）。また、ほたて貝殻焼成物添加食品がある。（例えば特許文献２参照。）。また、鳳仙花アルコール及び甘草を鳳仙花アルコール抽出液で抽出した液を用いた調味料。（例えば特許文献３参照。）。
【特許文献１】特開２０００−２１００４６
【特許文献２】特開２０００−７２６１０
【特許文献３】特開平１０−９９０４５
【発明の開示】
【発明が解決しようとする課題】
【０００３】従来、市販されている醤油及び調味料には、レバー刺し・牛刺し等、食中毒のリスクの高い食品に関し殺菌することを目的とした商品は発売されていない。月桃エキスを添加することで食中毒リスクを軽減し、安全な調味料を提供することを目的とする。
【課題を解決するための手段】
【０００４】ショウガ科の植物である月桃を搾汁し、搾汁液を蒸留してできたエキスに醤油を加えて得られたことを特徴とする醤油。【０００５】月桃の搾汁液を蒸留してできたエキスに調味料を加えて得られた事を特徴とする調味料。【０００６】前記の醤油及び調味料を添加して得られたことを特徴とする食品。
【発明の効果】
【０００７】本発明は、植物由来成分の月桃エキスを用いて出来た殺菌調味料である。従来の調味料に殺菌効果を加えることにより、食中毒感染の低減に貢献できる。
【発明を実施するための最良の形態】
【０００８】洗浄した月桃葉を搾汁機にかけて搾汁と葉粕を分別した後、蒸留する。蒸留した月桃エキスに醤油を混合する。
【実施例】以下本発明の実施例を具体的に説明する。なお、本発明の技術的範囲は、以下の実施例に限定されるものではなく、本明細書に記載した事項から明らかになる技術的思想の範囲全体に及ぶものである。【０００９】１）  月桃を洗浄する。
月桃の葉５０ｋｇを２回水洗浄する。
２）  月桃を搾汁機にかける。
搾汁液と粕に分ける。
３）  蒸留する。
搾汁液を減圧蒸留して、純度の高い月桃エキスを抽出する。
４）  醤油を加える。
醤油５０ｌを加える。
５）  完成
月桃を用いた醤油の出来上がり。
本発明による殺菌調味料を用いてレバー刺しを食べた。美味しかった、殺菌の効力については細菌検査のあと公表する。
【図面の簡単な説明】
【００１０】
【図１】本発明による月桃エキスを用いた醤油の製造を示すフロー図である。
【図１】
2007049978.tif 000003